(57)【要約】【課題】  電気掃除機における紙袋式集塵フィルタの好ましい除塵機構を実現する。【解決手段】  集塵室１１の空気を吸い出す通気窓８ａの内側に揺動可能に設けた除塵子１７を該集塵室の底部に設けた除塵子駆動ドラム２７の接触子２８によって繰り返し押圧して揺動させ、集塵して膨らんだ紙袋式集塵フィルタ１６の濾過用紙袋１６ｂを振動させて除塵するように構成する。【選択図】  図２
2006255040.tif 000002
【特許請求の範囲】
【請求項１】
掃除機本体内を集塵室と電動送風機室に区画し、前記集塵室はホース嵌着部材によってホースユニットに接続可能にすると共に該集塵室に設置する紙袋式集塵フィルタを前記ホース嵌着部材に連通するように構成し、前記電動送風機室に設けた電動送風機によって前記集塵室内の空気を吸い出すように構成して前記ホースユニットを通して流入する空気に含まれる塵を前記紙袋式集塵フィルタによって捕捉する電気掃除機において、
前記集塵室における前記電動送風機室側の仕切り壁に設けた通気窓の内側に該仕切り壁に沿って除塵子を配置し、前記除塵子は、集塵して膨らんだ紙袋式集塵フィルタの濾過用紙袋の奥側壁面を振動させて該奥側壁面に付着した塵を震い落すように構成し、
前記紙袋式集塵フィルタは、濾紙を両端開口の筒状体に形成すると共に押し潰しながら両折り曲げ部分を蛇腹に形成した開口端方向に細長い長方形の偏平形状に整形し、両端開口端縁部分を丸め込むように折り返して塞ぐ封止縁部を形成した濾過用紙袋を口紙の後側に接着し、口紙から長くはみ出した封止縁部方向のはみ出し部分を口紙の後方に重ねるように後側に折り返した構成であり、
前記集塵室は、紙袋式集塵フィルタの前記濾過用紙袋における口紙の後側に重ねるように折り返した部分が上下方向に伸びて縦長状態に膨らむような姿勢に設置するように構成したことを特徴とする電気掃除機。
【請求項２】
請求項１において、前記濾過用紙袋は、目の粗い内側層の外側に目の細かい層を配置した構成であることを特徴とする電気掃除機。
【発明の詳細な説明】
【技術分野】
【０００１】
本発明は、紙袋式集塵フィルタを使用する電気掃除機に関する。
【背景技術】
【０００２】
最近の電気掃除機は、紙袋式の集塵フィルタを使用する形態ものが主流になっている。
【０００３】
紙袋式集塵フィルタを使用する電気掃除機は、捕獲した塵によって紙袋内が満杯になったときには集塵フィルタを取り外して使い捨て（新しい集塵フィルタと交換）することができるので、取り扱いが便利である。
【０００４】
しかしながら、紙袋式集塵フィルタは、紙袋内が塵で満杯になる前から濾過面に付着した微細な塵によって目詰り現象を起こして通気抵抗が増加することから、所定の時機に集塵フィルタに振動を与えて濾過面に付着した微細塵を紙袋内の底部に震い落すようにして除塵する除塵機構を設けることが提案されている。
【０００５】
除塵機構は、紙袋式集塵フィルタの外周面に作用する除塵子を振動させることによって該紙袋式集塵フィルタの内面（濾過面）に付着した塵を震い落す構成であり、除塵子を振動させる除塵子駆動機構としては、電磁振動で振動させる構成の電磁式駆動機構や、電源コードの巻き取りに用いるコードリールの回転を伝達して振動させる構成のコードリール式駆動機構が提案されている。
【０００６】
【特許文献１】特開平５−１９２２７８号公報
【特許文献２】特開２００４−１７４２６８号公報
【発明の開示】
【発明が解決しようとする課題】
【０００７】
紙袋式集塵フィルタを除塵する除塵機構は、集塵フィルタの外周面に外側から力を作用させて振動を発生させる構成であるが、集塵室内で通気圧力で膨らんでいる紙袋式集塵フィルタに外側から大きな力を繰り返し与えることが難しい。
【０００８】
従って、除塵機構は、紙袋式集塵フィルタに効率良く振動を発生させることができ、小さな振動で効率良く塵を震い落すことができ、震い落した塵がその後の使用（通風）で再び舞い上がって濾過面に付着して目詰りするのを抑制するようにすることが望ましい。
【０００９】
また、除塵機構における除塵子駆動機構は、掃除機本体内の限られたスペースに簡単に取り付けて収容することができるように構成することが望まれる。
【００１０】
本発明の１つの目的は、紙袋式集塵フィルタを振動させて震い落した塵がその後の使用（通風）によって再び舞い上がって濾過面に付着して目詰りするのを抑制することができるようにすることにある。
【００１１】
本発明の他の目的は、更に、紙袋式集塵フィルタに効率良く振動を発生させることができ、小さな振動で効率良く塵を震い落すことができるようにすることにある。
【課題を解決するための手段】
【００１２】
本発明は、掃除機本体内を集塵室と電動送風機室に区画し、前記集塵室はホース嵌着部材によってホースユニットに接続可能にすると共に該集塵室に設置する紙袋式集塵フィルタを前記ホース嵌着部材に連通するように構成し、前記電動送風機室に設けた電動送風機によって前記集塵室内の空気を吸い出すように構成して前記ホースユニットを通して流入する空気に含まれる塵を前記紙袋式集塵フィルタによって捕捉する電気掃除機において、
前記集塵室における前記電動送風機室側の仕切り壁に設けた通気窓の内側に該仕切り壁に沿って除塵子を配置し、前記除塵子は、集塵して膨らんだ紙袋式集塵フィルタの濾過用紙袋の奥側壁面を振動させて該奥側壁面に付着した塵を震い落すように構成し、
前記紙袋式集塵フィルタは、濾紙を両端開口の筒状体に形成すると共に押し潰しながら両折り曲げ部分を蛇腹に形成した開口端方向に細長い長方形の偏平形状に整形し、両端開口端縁部分を丸め込むように折り返して塞ぐ封止縁部を形成した濾過用紙袋を口紙の後側に接着し、口紙から長くはみ出した封止縁部方向のはみ出し部分を口紙の後方に重ねるように後側に折り返した構成であり、
前記集塵室は、紙袋式集塵フィルタの前記濾過用紙袋における口紙の後側に重ねるように折り返した部分が上下方向に伸びて縦長状態に膨らむような姿勢に設置するように構成したことを特徴とする。
【００１３】
そして、前記濾過用紙袋は、目の粗い内側層の外側に目の細かい層を配置した構成であることを特徴とする。
【発明の効果】
【００１４】
本発明の電気掃除機は、紙袋式集塵フィルタを振動させて震い落した塵がその後の使用（通風）によって再び舞い上がって濾過面に付着して目詰りするのを抑制することができ、更には、紙袋式集塵フィルタに効率良く振動を発生させることができ、小さな振動で効率良く塵を震い落すことができる。
【発明を実施するための最良の形態】
【００１５】
本発明は、掃除機本体内を集塵室と電動送風機室に区画し、前記集塵室はホース嵌着部材によってホースユニットに接続可能にすると共に該集塵室に設置する紙袋式集塵フィルタを前記ホース嵌着部材に連通するように構成し、前記電動送風機室に設けた電動送風機によって前記集塵室内の空気を吸い出すように構成して前記ホースユニットを通して流入する空気に含まれる塵を前記紙袋式集塵フィルタによって捕捉する電気掃除機において、
前記集塵室における前記電動送風機室側の仕切り壁に設けた通気窓の内側に該仕切り壁に沿って除塵子を配置して集塵して膨らんだ紙袋式集塵フィルタの濾過用紙袋の奥側壁面を当接するように設け、
その外周面を弾性体の接触子を介して前記除塵子の後面を繰り返し押圧して該除塵子を揺動させる除塵子駆動ドラムを除塵子駆動ユニット基板に起立させた除塵子駆動ドラム軸支持部によって支持し、前記除塵子駆動ドラムが前記仕切り壁における前記通気窓の下側で集塵室内側に位置して前記除塵子の下端部分に対向するように前記掃除機本体を構成する本体下ケースの底壁に設け除塵子駆動ユニット取付け窓に外側から挿入するように嵌着して設置してコードリールユニットにおけるドラム側板に設けた歯車によって回転駆動するように構成し、
前記紙袋式集塵フィルタは、目の粗い内側層の外側に目の細かい層を配置した濾紙を両端開口の筒状体に形成すると共に押し潰しながら両折り曲げ部分を蛇腹に形成した開口端方向に細長い長方形の偏平形状に整形し、両端開口端縁部分を丸め込むように折り返して塞ぐ封止縁部を形成した濾過用紙袋を口紙の後側に接着し、口紙から長くはみ出した封止縁部方向のはみ出し部分を口紙の後方に重ねるように後側に折り返した構成であり、
前記集塵室は、前記紙袋式集塵フィルタの前記濾過用紙袋における口紙の後側に重ねるように折り返した部分が上下方向に伸びて縦長状態に膨らむような姿勢に設置するように構成する。
【実施例１】
【００１６】
図１は、この実施例１における電気掃除機の外観図であり、後端面を床に当接して起立させた収納状態を示している。そして、１は掃除機本体、２はホースユニット、３は延長管、４は吸口である。
【００１７】
掃除機本体１は、具体的には後述するが、吸気用の電動送風機と紙袋式集塵フィルタを設置する集塵室と除塵機構を内蔵する。この掃除機本体１は、主車輪５とキャスター６によって床面を走行するように横長にした姿勢（通常の使用時の姿勢）にして使用する。そして、この掃除機本体１は、ハンドル７を引き起こして持ち運びする。
【００１８】
ホースユニット２は、ホース２ａの基端に掃除機本体１の集塵室に連通するように該掃除機本体１に嵌着する本体接続管２ｂを備え、先端に延長管３を嵌着すると共に使用（掃除）時に把持するホースグリップ２ｃを備える。ホースグリップ２ｃは、電動送風機を運転制御するための指示スイッチ（図示省略）を備える。
【００１９】
延長管３は、基端が前記ホースグリップ２ｃに嵌着され、先端に吸口４が嵌着される。
【００２０】
図２〜図４は、掃除機本体１を断面して内部構造を示す図面であり、図２は、掃除機本体１の中央部を切断した縦断側面図、図３は、掃除機本体１における除塵機構を示すように切断した横断平面図、図４は、掃除機本体１における除塵機構の除塵子駆動機構を示すように切断した縦断側面図である。また、図５は、紙袋式集塵フィルタの着脱形態を示す掃除機本体１の縦断側面図である。
【００２１】
掃除機本体１の外殻は、主として、本体下ケース８と本体上ケース９と集塵室蓋１０によって構成し、その内部の前半部分に集塵室１１を形成し、後半部分に電動送風機室１２を形成する。掃除機本体１の内部を集塵室１１と電動送風機室１２に仕切って区画する仕切り壁は、本体下ケース８の底部から上向きに伸び、中央部に通気窓８ａを備えた下ケース仕切り壁部８ｂと、本体上ケース９から下向きに伸びる上ケース仕切り壁部９ａを接合することによって構成する。
【００２２】
集塵室１１は、その上方を開放して集塵室蓋１０によって開閉自在に構成する。集塵室１１の上方開放端縁は、本体下ケース８によって構成し、この端縁には集塵室蓋パッキン１３を設置し、集塵室１１の上方開放端を閉じるように倒した集塵室蓋１０の下端縁を密接させて気密状態を実現する構成とする。
【００２３】
この集塵室１１の前側の壁部には、ホースユニット２の本体接続管２ｂを嵌着してホース２ａを集塵室１１に連通させるように貫通したホース差込口１４ａを備えたホース嵌着部材１４を取り付ける。このホース嵌着部材１４の内端は、集塵室１１の前側壁部に位置して該集塵室１１内に露出させ、集塵室１１内に挿入してフィルタクランプ１５によって拘束した紙袋式集塵フィルタ１６の口紙１６ａに密接するように構成する。
【００２４】
下ケース仕切り壁部８ｂにおける前記通気窓８ａの集塵室１１側には、前記下ケース仕切り壁部８ｂに沿って除塵子１７を設置する。この除塵子１７は、図６に示すように、通気性に富んだ方形の格子状枠体１７ａを主体にして構成し、上端部分の両側に支軸１７ｂ，１７ｃを突設して前記下ケース仕切り壁部８ｂの上端部分に揺動可能に係止するように取り付ける構成であり、その下端部分を背後から繰り返し押圧駆動することによって揺動させて集塵室１１内で膨らんだ紙袋式集塵フィルタ１６の濾過用紙袋１６ｂの外周面（膨らんだ紙袋の口紙１６ａに対向する奥側壁面部）を繰り返し押圧する構成である。この除塵子駆動機構の詳細については後述する。
【００２５】
このように構成した集塵室１１には、集塵室蓋１０を開放して紙袋式集塵フィルタ１６を着脱する。紙袋式集塵フィルタ１６は、吸気窓１６ａ１を形成した口紙１６ａと、濾過用紙袋１６ｂによって構成される。この紙袋式集塵フィルタ１６の装着は、集塵室蓋１０を起立させて集塵室１１の上方を開放した状態で紙袋式集塵フィルタ１６を該集塵室１１内に挿入し、口紙１６ａをフィルタクランプ１５で拘束して該口紙１６ａをホース嵌着部材１４の内端に密着させて該口紙１６ａの吸気窓１６ａ１とホース嵌着部材１４のホース差込口１４ａを整合させることによって濾過用紙袋１６ｂ内とホース２ａを連通させるようにして行なう。そして、集塵室蓋１０を倒して集塵室１１の上方を閉じる。このようにして装着されている紙袋式集塵フィルタ１６の取り外しは、集塵室蓋１０を起立させて集塵室１１の上方を開放して紙袋式集塵フィルタ１６の口紙１６ａの拘束を解くようにフィルタクランプ１５を操作することによって該紙袋式集塵フィルタ１６を自由な状態にして行う。
【００２６】
この実施例１において使用する紙袋式集塵フィルタ１６について、図７の（ａ）〜（ｃ）および図８の（ａ），（ｂ）を参照して説明する。
【００２７】
濾過用紙袋１６ｂは、特公平７−８５７３６号公報に記載されているように、吸込口１６ｂ１を設けた方形の濾紙を両端開口の筒状体に形成し、前記吸込口１６ｂ１が平面に位置するように前記筒状体を押し潰し（折り曲げ）ながら両折り曲げ部分を蛇腹１６ｂ２に形成した開口端方向に細長い長方形の偏平形状に整形し、両端開口端縁部分を丸め込むように折り返しながら糊付けして塞ぐ封止縁部１６ｂ３を形成する。このように偏平形状に形成した濾過用紙袋１６ｂは、前記吸込口１６ｂ１が位置する平面を方形の口紙１６ａの後側に前記吸込口１６ｂ１を吸気窓１６ａ１に整合させるように接着し、口紙１６ａから長くはみ出した封止縁部１６ｂ３方向のはみ出し部分を口紙１６ａの後方に重ねるように後側に折り返す。
【００２８】
濾過用紙袋１６ｂを構成する濾紙は、この実施例１においては３層構造であり、濾過用紙袋１６ｂの内側になる内側層は比較的大きな塵を捕捉する目の粗い層であり、中間層は微細塵を捕捉する目の極めて細かい層であり、外側になる外側層は補強層である。
【００２９】
このように構成した紙袋式集塵フィルタ１６は、周囲に対して濾過用紙袋１６内の気圧が高くなって偏平形状から立方形状に膨らむときに、両側の蛇腹１６ｂ２の部分が後方に伸びると共に後側に重ねるように折り返した部分が復元して口板１６ａからはみ出す方向に長く伸びることになる。
【００３０】
この実施例１において、この紙袋式集塵フィルタ１６は、前記濾過用紙袋１６ｂにおける口紙１６ａの後側に重ねるように折り返した部分が上下方向に伸びて縦長状態に膨らむような姿勢に集塵室１１内に設置する。すなわち、掃除機本体１を主車輪５とキャスター６によって走行させる姿勢にした状態において、濾過用紙袋１６ｂの蛇腹１６ｂ２の部分が両横側方向に位置し、両端開口端を丸め込むように折り返して塞いだ封止縁部１６ｂ３が上下方向に位置する姿勢で集塵室１１内に納まるように設置する。
【００３１】
電動送風機室１２内には、電動送風機１８とコードリールユニット１９と制御装置２０を内蔵する。
【００３２】
電動送風機１８は、集塵室１１内の空気を通気窓８ａを通して吸い出すように下ケース仕切り壁部８ｂに防振ゴム２１を介して気密状態に接合させて取り付ける。
【００３３】
コードリールユニット１９は、回転して電源コード２２を巻き込み／巻き出しする巻き付けドラム２３と、この巻き付けドラム２３の両側端に設けたドラム側板２４，２５を備える。ドラム側板２５の外周縁にはドラム側板歯車部２５ａを一体的に形成する。そして、このコードリールユニット１９は、前記電動送風機１８の横に位置させてドラム回転軸心が本体下ケース８の底面に対して平行で横向きの状態となるように設置する。
【００３４】
前記除塵子１７を押圧する除塵子駆動機構を構成する除塵子駆動ユニット２６の具体的な構成を図９および図１０を参照して説明する。
【００３５】
除塵子駆動ユニット２６は、前記コードリールユニット１９の回転によって駆動されて回転する除塵子駆動ドラム２７を備え、この除塵子駆動ドラム２７を回転させることにより該除塵子駆動ドラム２７の外周に設けた複数の接触子２８によって除塵子１７の後面を繰り返し押圧して該除塵子１７を揺動させる構成であり、前記下ケース仕切り壁８における前記通気窓８ａの下側で集塵室１１内側に位置して前記除塵子１７の下端部分に対向するように本体下ケース８の底部に設置するように固定し、支軸１７ｂ，１７ｃを支点にして格子状枠体１７ａを揺動させるように駆動する。
【００３６】
除塵子駆動ドラム２７は、除塵子駆動ユニット基板２９の内側に除塵子駆動ドラム軸支持部２９ａ，２９ｂを起立させ、この除塵子駆動ドラム軸支持部２９ａ，２９ｂ間に前記除塵子駆動ドラム２７を回転可能状態に支持する。除塵子駆動ドラム軸支持部２９ａの外側に延長した除塵子駆動ドラム軸３０は、その外端部に除塵子駆動ドラム軸歯車３１を備え、この除塵駆動ユニット２６が掃除機本体１に組み付けられた状態で前記コードリールユニット１９のドラム側板歯車部２５ａと噛み合ってドラム側板２５の回転に従動して除塵子駆動ドラム軸３０を回転させるように機能する。この除塵子ドラム駆動軸３０は、除塵子駆動ドラム２７内に位置させたワンウェイクラッチ（図示省略）を介して該除塵子駆動ドラム２７と係合し、電源コード２２を引き出すときのドラム側板２５の回転に伴う除塵子駆動ドラム駆動軸３０の回転を除塵子駆動ドラム２７に伝達し、電源コード２２を巻き込むときのドラム側板２５の回転に伴う除塵子駆動ドラム駆動軸３０の回転は除塵子駆動ドラム２７に伝達しないように構成する。
【００３７】
除塵子駆動ドラム２７の外周に設けた複数の接触子２８は、それぞれ、基端部分を除塵子駆動ドラム２７の外周に取り付け、除塵子駆動ドラム２７の外周面に沿って回転方向の下流方向に徐々に離れて高くなるように傾き、後端部分を除塵子駆動ドラム２７の外周面に向けて急峻に折り曲げて山形形状に形成した弾性板によって構成する。この接触子２８の弾力の強さは、紙袋式集塵フィルタ１６の濾過用紙袋１６ｂ内に塵埃がいっぱい（満杯）に入って該濾過用紙袋１６ｂが強く膨らんで除塵子１７の揺動に大きな抵抗が作用するときに撓んで除塵子駆動ドラム２７に大きな回転抵抗が作用するのを避けることができる強さとする。これにより、電源コード２２を引き出すときに過大な引き出し抵抗が発生するのを防止する。
【００３８】
除塵子駆動ユニット基板２９における前記除塵子駆動ドラム軸支持部２９ａ，２９ｂの外周端縁面２９ｃ，２９ｄと該除塵子駆動ドラム軸支持部２９ａ，２９ｂ間を結ぶ除塵子駆動ユニット基板２９の両側の端縁面２９ｅは、この除塵子駆動ユニット基板２９を本体下ケース８の底壁から集塵室１１に連なるように形成した除塵子駆動ユニット取付け窓８ｃに下側から挿入するように嵌着した状態で該本体下ケース８に当接して前記集塵室１１の気密を保持するように機能し、除塵子駆動ドラム軸支持部２９ａ，２９ｂ間の除塵子駆動ドラム２７を集塵室１１内の除塵子１７の下端部分の後側に位置させる。また、前記通気窓８ａの下側に位置するので、電動送風機１８で吸引する気流の通路の外側に位置することになり、空気の流れを乱すことがなく、通気抵抗を増加させることがないという効果がある。
【００３９】
また、除塵子駆動ユニット基板２９は、除塵子駆動ドラム軸支持部２９ａ，２９ｂ間の前側部分の一部を本体内側に凹めるような湾曲部分２９ｆに形成してキャスター６の一部を本体下ケース８の底部に収容するキャスター収容空間８ｄの一部を構成させる。この除塵子駆動ユニット基板２９の湾曲部分２９ｆは、除塵子駆動ユニット基板２９の全体的な剛性を高めるようにも機能する。そして、この除塵子駆動ユニット基板２９の両端部分には、取付けねじ貫通穴２９ｇ，２９ｈを設ける。
【００４０】
本体下ケース８への除塵子駆動ユニット２６の取り付け方法を図１０を参照して説明する。まず、底面を上向きにすることにより除塵子駆動ユニット取付け窓８ｃを上側に位置させた姿勢に本体下ケース８を置き、除塵子駆動ユニット２６を下向きにして前記除塵子駆動ユニット取付け窓８ｃに嵌着して取付けねじ３２，３３によって本体下ケース８にねじ止め固定する。その際、除塵子駆動ユニット基板２９における前記除塵子駆動ドラム軸支持部２９ａ，２９ｂの外周端縁面２９ｃ，２９ｄおよび該除塵子駆動ドラム軸支持部２９ａ，２９ｂ間を結ぶ除塵子駆動ユニット基板２９の両側の端縁面２９ｅと集塵室１１内の気密を保持するための本体下ケース８との当接面の間には、除塵子駆動ユニットパッキン３４を介在させる。この除塵子駆動ユニットパッキン３４の介在は、予め、除塵子駆動ユニット基板２９側または本体下ケース８側に取り付けた状態で除塵子駆動ユニット２６を本体下ケース８の除塵子駆動ユニット取付け窓８ｃに嵌着することによって実現する。
【００４１】
また、除塵子駆動ドラム軸支持部２９ａと除塵子駆動ドラム軸３０との気密は、除塵子駆動ドラム軸３０に挾み込んだシールパッキング３０ａが集塵室１１内側の負圧に引かれて除塵子駆動ドラム軸支持部２９ａに当接するようにして行う。なお、シールパッキング３０ａは、電源コード２２を引き出すとき（集塵室１１内に負圧が発生していないとき）には、除塵子駆動ドラム軸支持部２９ａとの間に０．２ｍｍ程度の隙間を発生し、掃除機使用時に集塵室１１内に負圧が発生したときの漏れ気流による風圧によって撓んで除塵子駆動ドラム軸支持部２９ａに当接するように設ける。このように構成することにより、電源コード２２を引き出すときのシールパッキング３０ａと除塵子駆動ドラム軸支持部２９ａの摩擦抵抗によって電源コード２２が引き出し難くなるのを防止することができる。
【００４２】
主車輪５は、電動送風機室１２の両側に位置させて本体下ケース８の外側に取り付ける。
【００４３】
キャスター６は、本体下ケース８における集塵室１１の底部を本体内側に凹めるように湾曲させて形成したキャスター収容空間８ｄに設置する。このキャスター６は、中心に取り付け穴６ａを形成した車輪支持体６ｂと該車輪支持体６ｂの偏心位置に取り付けたキャスター車輪６ｃを備える。そして前記本体下ケース８における前記キャスター収容空間８ｄの中心に該本体下ケース８から突出させたキャスター支持軸８ｅを前記車輪支持体６ｂの取り付け穴６ａに嵌入するように該車輪支持体６ｂを嵌着して取り付ける。
【００４４】
制御装置２０は、電源コード２２から給電を受け、前記コードグリップ２ｃに設けた指示（運転）スイッチからの指示に従って電動送風機１８の運転を制御する。
【００４５】
このように構成した電気掃除機を使用するときには、掃除機本体１におけるホース嵌着部材１４のホース差込口１４ａにホースユニット２の本体接続管２ｂを嵌着し、ホースユニット２のホースグリップ２ｃに延長管３を嵌着し、この延長管３の先に吸口４４を嵌着し、掃除機本体１を横長にして主車輪５とキャスター６によって床面を走行するような姿勢にする。この状態で電源コード２２を引き出して商用電源コンセントに接続する。
【００４６】
電源コード２２を引き出すときに回転する巻き付けドラム２３が回転してドラム側板２５も回転することから、このドラム側板２５に形成されているドラム側板歯車部２５ａと噛み合う除塵子駆動ドラム軸歯車３１が回転して除塵子駆動ドラム軸３０を回転させ、除塵子駆動ドラム２７を回転駆動する。除塵子駆動ドラム２７が回転すると、その外周面に取り付けた接触子２８が除塵子１７の後面を繰返し押圧して該除塵子１７を揺動させる。
【００４７】
このとき、図１１の（ａ）〜（ｃ）に示すように、前の吸引掃除によって紙袋式集塵フィルタ１６の濾過用紙袋１６ｂが膨らんでその奥側面が除塵子１７に接触していれば、除塵子駆動ドラム２７の回転に伴う除塵子１７の揺動に伴って濾過用紙袋１６ｂも揺動（振動）することから、濾過用紙袋１６ｂの濾過面の内面に付着した塵が震い落される。
【００４８】
ところで、この実施例１における紙袋式集塵フィルタ１６は、集塵室１１内において濾過用紙袋１６ｂが縦長に伸びるように膨らんでいることから、除塵子１７の揺動が濾過用紙袋１６ｂにおいて目詰りし易い奥側面の壁に広く作用して該奥側壁を効果的に振動させて該奥側壁の内面に付着した塵を効率良く震い落すことができる。
【００４９】
吸引清掃するためにホースグリップ２ｃに設けられた指示（運転）スイッチが押圧操作されると、この運転スイッチは制御装置２０に運転信号を伝送し、この運転信号を受信した制御装置２０は電動送風機１８を運転する。運転状態になった電動送風機１８は、集塵室１１内の空気を吸い出して該集塵室１１内の気圧を低下させ、紙袋式集塵フィルタ１６における濾過用紙袋１６ｂ内の含塵空気が該濾過用紙袋１６ｂによって濾過されながら集塵室１１内に吸い出される。そして、濾過用紙袋１６ｂ内には、吸口４から塵を巻き込みながら吸い込まれた新たな含塵空気が延長管３，ホースユニット２を通してホース差込口１４ａから流入して順次に濾過される。
【００５０】
そして、吸引清掃を終了するためにホースグリップ２ｃに設けられた指示（停止）スイッチが押圧操作されると、この停止スイッチは制御装置２０に停止信号を伝送し、この停止信号を受信した制御装置２０は電動送風機１８の運転を停止する。電源コード２２をコードリールユニット１９に巻き取らせて収納するときにドラム側板歯車部２５ａに噛み合って回転する除塵子駆動ドラム軸歯車３１の回転は、除塵子駆動ドラム２７には伝達されない。
【００５１】
なお、ドラム側板歯車部２５ａと除塵子駆動ドラム軸歯車３１の１段の平歯車の組み合わせで動力を伝達するようにしているので、２段の歯車伝達機構などに比べて歯車の噛み合いによる抵抗を小さくすることができる。
【００５２】
濾過用紙袋１６ｂ内が満杯になるように集塵した紙袋式集塵フィルタ１６を新しい紙袋式集塵フィルタ１６に交換するための出し入れは、前述したように、集塵室蓋１０を起立させて集塵室１１の上方を開放した状態で行うが、この実施例１における除塵子駆動ユニット２６は集塵室１１の下部に位置しているので、紙袋式集塵フィルタ１６の出し入れ空間を大きく確保することができる。
【００５３】
ここで、紙袋式集塵フィルタ１６の除塵について、図１２〜図１６を参照して詳細に説明する。
【００５４】
この実施例１において縦長状態に膨らむような姿勢に設置した紙袋式集塵フィルタ１６の濾過用紙袋１６ｂは、基本的には、図１２に示すように、蛇腹１６ｂ２が両横に位置して前後方向に伸び、封止縁部１６ｂ３が上下方向に移動するように伸びて縦長形態となるように膨らんでその奥側壁面が除塵子１７の前面に当接する。紙袋式集塵フィルタ１６の濾過用紙袋１６ｂの膨らみは、実際には、集塵室１１の内面によって制約されることから、図２〜図４に示すように歪んだ形状になる。除塵子１７の後側に下ケース仕切り壁部８ｂの通気窓８ａが位置し、その対向位置に口紙１６ａの吸気窓１６ａ１が開口しているので、含塵空気は口紙１６ａの吸気窓１６ａ１から奥側壁面に向かって強く流れて該奥側壁に多く集塵される。比較的大きな塵は濾過用紙袋１６ｂの最内側に位置する内側層に捕捉され、微細塵の多くは内側層を通過して中間層に捕捉されて該中間層に付着して該中間層を目詰りさせる。
【００５５】
このように集塵して膨らんだ濾過用紙袋１６ｂの奥側壁面が除塵子１７における格子状枠体１７ａの前面に接触した状態において、図１３に示すように、除塵子１７が繰り返し揺動して濾過用紙袋１６ｂの奥側壁面が振動すると該奥側壁面に付着している塵は震い落されて濾過用紙袋１６ｂの下方に大きく膨らんだ部分（封止縁部１６ｂ３）に向かって落下する。比較的に大きな塵は内側層の内面に補足されていることから該内側層の内面に沿って落下し、中間層に補足されている微細塵は濾過用紙袋１６ｂの振動によって内側層と中間層の間に発生する間隙に沿って落下する。そして、これらの塵が落下して溜る位置は、吸引清掃時の強い気流の中心から遠ざかった下方の位置となるので、震い落した塵が次の吸引清掃時の強い気流に巻き込まれて舞い上がって再び濾過用紙袋１６ｂの奥側壁内面に付着するのを抑制（軽減）することができる。
【００５６】
このような除塵において、紙袋式集塵フィルタ１６の濾過用紙袋１６ｂ内で奥側壁面（内側層と中間層）に付着している比較的に小さな塵は各層の表面に沿って下方に落下（移動）することから、塵をより下方まで移動させるためには、濾過用紙袋１６ｂの下方に位置する部位を大きく振動させることが望ましい、その点、この実施例１における除塵子１７は、格子状枠体１７ａの上端部分を支点にして揺動可能に設置され、この除塵子１７を揺動駆動する除塵子駆動ドラム２７が集塵室１１における後方の通気窓８ａの下側に位置して前記格子状枠体１７ａの下端部分に作用して該格子状枠体１７ａの下端部分が大きく振れるように押圧駆動しているので、除塵に好ましい形態で濾過用紙袋１６ｂを振動させることができる。
【００５７】
因に、図１４に示すように、濾過用紙袋１６ｂが横長状態に膨らむような姿勢に紙袋式集塵フィルタ１６を集塵室１１内に設置すると、集塵した濾過用紙袋１６ｂは、基本的には、図１５に示すように、蛇腹１６ｂ２が上下に位置して前後方向に伸び、封止縁部１６ｂ３が両横方向に移動するように伸びて横長形態となるように膨らんでその奥側壁面が除塵子１７の前面に当接する。そして、含塵空気は口紙１６ａの吸気窓１６ａ１から奥側壁面に向かって強く流れて奥側壁の内面に多く集塵され、塵は該部分に多く付着して該部分を目詰りさせる。
【００５８】
このように集塵して膨らんだ濾過用紙袋１６ｂの奥側壁面が除塵子１７における格子状枠体１７ａの前面に接触した状態において、図１６に示すように、除塵子１７が繰り返し揺動して濾過用紙袋１６ｂの奥側壁が振動すると該奥側壁の内面に付着している塵は震い落されて濾過用紙袋１６ｂの下側に位置して伸びた蛇腹１６ｂ２の部分に向かって落下する。しかして、この塵が落下して溜る蛇腹１６ｂ２の位置は、吸引清掃時の強い気流の中心に比較的に近い位置となるので、震い落した塵が次の吸引清掃時の強い気流に巻き込まれて舞い上がって再び濾過用紙袋１６ｂの奥側壁内面に付着するのを抑制（軽減）する効果が少なくなる。
【００５９】
この実施例１において使用した紙袋式集塵フィルタ１６は、口紙１６ａを紙以外の部材で構成し、濾過用紙袋１６ｂを紙以外の濾過材で構成して使用することが可能であり、このような集塵フィルタも含むものとする。
【図面の簡単な説明】
【００６０】
【図１】本発明の実施例１における電気掃除機の外観図であり、後端面を床に当接して起立させた収納状態を示している。
【図２】本発明の実施例１の電気掃除機における掃除機本体の中央部を切断した縦断側面図である。
【図３】本発明の実施例１の電気掃除機の掃除機本体における除塵機構を示すように切断した横断平面図である。
【図４】本発明の実施例１の電気掃除機の掃除機本体における除塵機構の除塵子駆動機構を示すように切断した縦断側面図である。
【図５】本発明の実施例１の電気掃除機における紙袋式集塵フィルタの着脱形態を示す掃除機本体の縦断側面図である。
【図６】本発明の実施例１の電気掃除機における除塵子の斜視図である。
【図７】本発明の実施例１の電気掃除機における紙袋式集塵フィルタであり、（ａ）は横断平面図、（ｂ）は正面図、（ｃ）は縦断側面図である。
【図８】本発明の実施例１の電気掃除機における紙袋式集塵フィルタであり、（ａ）は集塵室に設置する姿勢を示す斜視図、（ｂ）は集塵して膨らんだ状態を示す斜視図である。
【図９】本発明の実施例１の電気掃除機における除塵子駆動機構を構成する除塵子駆動ユニットの斜視図である。
【図１０】本発明の実施例１の電気掃除機における本体下ケースへの除塵子駆動ユニットの取り付け状態を示す分解斜視図である。
【図１１】本発明の実施例１の電気掃除機における除塵子を除塵子駆動ドラムによって揺動駆動する様子を示す模式図であり、（ａ）は集塵して膨らんだ紙袋式集塵フィルタが除塵子に当接した状態を示す縦断側面図、（ｂ），（ｃ）は紙袋式集塵フィルタが当接した除塵子を除塵子駆動ドラムで押圧して揺動させる状態を示す縦断側面図である。
【図１２】本発明の実施例１の電気掃除機において集塵して膨らんだ紙袋式集塵フィルタを示す図面であり、（ａ）は横断平面図、（ｂ）は正面図、（ｃ）は縦断側面図である。
【図１３】本発明の実施例１の電気掃除機において集塵して膨らんだ紙袋式集塵フィルタを除塵子によって除塵するときの塵の移動状態を示す図面であり、（ａ）は横断平面図、（ｂ）は正面図、（ｃ）は縦断側面図である。
【図１４】電気掃除機における紙袋式集塵フィルタの設置状態を示す比較例であり、（ａ）は集塵室に設置する姿勢を示す斜視図、（ｂ）は集塵して膨らんだ状態を示す斜視図である。
【図１５】比較例の電気掃除機において集塵して膨らんだ紙袋式集塵フィルタを示す図面であり、（ａ）は横断平面図、（ｂ）は正面図、（ｃ）は縦断側面図である。
【図１６】比較例の電気掃除機において集塵して膨らんだ紙袋式集塵フィルタを除塵子によって除塵するときの塵の移動状態を示す図面であり、（ａ）は横断平面図、（ｂ）は正面図、（ｃ）は縦断側面図である。
【符号の説明】
【００６１】
１…掃除機本体、２…ホースユニット、６…キャスター、８…本体下ケース、９…本体上ケース、１１…集塵室、１２…電動送風機室、８ａ…通気窓、８ｂ…下ケース仕切壁部、８ｃ…除塵子駆動ユニット取付け窓、８ｄ…キャスター収容空間、１４…ホース嵌着部材、１５…フィルタクランプ、１６…紙袋式集塵フィルタ、１６ａ…口紙、１６ｂ…濾過用紙袋、１６ｂ２…蛇腹、１６ｂ３…封止縁部、１７…除塵子、１７ａ…格子状枠体、１８…電動送風機、１９…コードリールユニット、２４，２５…ドラム側板、２５ａ…ドラム側板歯車部、２６…除塵子駆動ユニット、２７…除塵子駆動ドラム、２８…接触子、２９…除塵子駆動ユニット基板、３４…除塵子駆動ユニットパッキン。
【図１】
2006255040.tif 000003
【図２】
2006255040.tif 000004
【図３】
2006255040.tif 000005
【図４】
2006255040.tif 000006
【図５】
2006255040.tif 000007
【図６】
2006255040.tif 000008
【図７】
2006255040.tif 000009
【図８】
2006255040.tif 000010
【図９】
2006255040.tif 000011
【図１０】
2006255040.tif 000012
【図１１】
2006255040.tif 000013
【図１２】
2006255040.tif 000014
【図１３】
2006255040.tif 000015
【図１４】
2006255040.tif 000016
【図１５】
2006255040.tif 000017
【図１６】
2006255040.tif 000018